【手続補正書】
【提出日】平成23年9月16日(2011.9.16)
【手続補正１】
【補正対象書類名】特許請求の範囲
【補正対象項目名】全文
【補正方法】変更
【補正の内容】
【特許請求の範囲】
【請求項１】
撮像光学系を有し被写体を撮像して画像信号を出力する撮像装置の手振れ補正装置において、
撮像装置本体の手振れ量を検出する手振れ検出手段と、
前記撮像光学系に含まれる一部の光学部品を、撮像光軸と垂直し互いに直交する上下方向及び左右方向のそれぞれシフトさせる手振れ補正機構と、
前記手振れ検出手段により検出された手振れ方向及び手振れ量に基づいて前記手振れ補正機構を動作させて、前記光学部品を上下方向及び左右方向のそれぞれにシフトさせる制御手段とを備え、
前記手振れ補正機構は、前記光学部品を支持する支持部材に接続され前記手振れ検出手段により検出された手振れ方向及び手振れ量に応じた電圧が印加されることに応じて伸縮して当該光学部品を左右方向にシフトさせる１対の紐状の伸縮型高分子アクチュエータからなる第１高分子アクチュエータと、前記光学部品を支持する支持部材に接続され前記手振れ検出手段により検出された手振れ方向及び手振れ量に応じた電圧が印加されることに応じて伸縮して当該光学部品を上下方向にシフトさせる１対の紐状の伸縮型高分子アクチュエータからなる第２高分子アクチュエータとを有すること
を特徴とする手振れ補正装置。
【請求項２】
前記手振れ補正機構は、
左右方向の手振れ方向及び手振れ量に応じて前記第１高分子アクチュエータを構成する一方の伸縮型高分子アクチュエータの引っ張り応力と他方の伸縮型高分子アクチュエータの引っ張り応力との大小関係に基づいて前記光学部品を左右方向に移動させ、上下方向の手振れ方向及び手振れ量に応じて前記第２高分子アクチュエータを構成する一方の伸縮型高分子アクチュエータの引っ張り応力と他方の伸縮型高分子アクチュエータの引っ張り応力との大小関係に基づいて前記光学部品を上下方向に移動させること
を特徴とする請求項１に記載の手振れ補正装置。
【請求項３】
前記手振れ補正機構は、前記撮像手段に含まれる撮像光学系に入射された入射光を撮像光として撮像素子に導くミラーを備え、当該ミラーを左右方向に回転させる当該ミラーと連動する回転ディスクに設けた前記第１高分子アクチュエータを構成する一方の伸縮型高分子アクチュエータの引っ張り応力と他方の伸縮型高分子アクチュエータの引っ張り応力との大小関係に基づいて当該ミラーを左右方向に回転させ、当該ミラーを上下方向に回転させる当該ミラーと連動する回転ディスクに設けた前記第２高分子アクチュエータを構成する一方の伸縮型高分子アクチュエータの引っ張り応力と他方の伸縮型高分子アクチュエータの引っ張り応力との大小関係に基づいて当該ミラーを上下方向に回転させるものであり、
上下左右の手振れ方向及び手振れ量に応じて前記第１及び第２高分子アクチュエータを駆動させて、前記ミラーを左右方向及び上下方向に回転させることを特徴とする請求項１に記載の手振れ補正装置。
【請求項４】
撮像光学系を有し被写体を撮像して画像信号を出力する撮像手段と、
撮像装置本体の手振れ量を検出する手振れ検出手段と、
前記撮像光学系に含まれる一部の光学部品を、撮像光軸と垂直し互いに直交する上下方向及び左右方向のそれぞれシフトさせる手振れ補正機構と、
前記手振れ検出手段により検出された手振れ方向及び手振れ量に基づいて前記手振れ補正機構を動作させて、前記光学部品を上下方向及び左右方向のそれぞれにシフトさせる制御手段とを備え、
前記手振れ補正機構は、前記光学部品を支持する支持部材に接続され前記手振れ検出手段により検出された手振れ方向及び手振れ量に応じた電圧が印加されることに応じて伸縮して当該光学部品を左右方向にシフトさせる１対の紐状の伸縮型高分子アクチュエータからなる第１高分子アクチュエータと、前記光学部品を支持する支持部材に接続され前記手振れ検出手段により検出された手振れ方向及び手振れ量に応じた電圧が印加されることに応じて伸縮して当該光学部品を上下方向にシフトさせる１対の紐状の伸縮型高分子アクチュエータからなる第２高分子アクチュエータとを有すること
を特徴とする撮像装置。
【請求項５】
前記手振れ補正機構は、
左右方向の手振れ方向及び手振れ量に応じて前記第１高分子アクチュエータを構成する一方の伸縮型高分子アクチュエータの引っ張り応力と他方の伸縮型高分子アクチュエータの引っ張り応力との大小関係に基づいて前記光学部品を左右方向に移動させ、上下方向の手振れ方向及び手振れ量に応じて前記第２高分子アクチュエータを構成する一方の伸縮型高分子アクチュエータの引っ張り応力と他方の伸縮型高分子アクチュエータの引っ張り応力との大小関係に基づいて前記光学部品を上下方向に移動させること
を特徴とする請求項４に記載の撮像装置。
【請求項６】
前記手振れ補正機構は、前記撮像手段に含まれる撮像光学系に入射された入射光を撮像光として撮像素子に導くミラーを備え、当該ミラーを左右方向に回転させる当該ミラーと連動する回転ディスクに設けた前記第１高分子アクチュエータを構成する一方の伸縮型高分子アクチュエータの引っ張り応力と他方の伸縮型高分子アクチュエータの引っ張り応力との大小関係に基づいて当該ミラーを左右方向に回転させ、当該ミラーを上下方向に回転させる当該ミラーと連動する回転ディスクに設けた前記第２高分子アクチュエータを構成する一方の伸縮型高分子アクチュエータの引っ張り応力と他方の伸縮型高分子アクチュエータの引っ張り応力との大小関係に基づいて当該ミラーを上下方向に回転させるものであり、
上下左右の手振れ方向及び手振れ量に応じて前記第１及び第２高分子アクチュエータを駆動させて、前記ミラーを左右方向及び上下方向に回転させることを特徴とする請求項４に記載の撮像装置。
【手続補正２】
【補正対象書類名】明細書
【補正対象項目名】０００５
【補正方法】変更
【補正の内容】
【０００５】
第１の発明は、撮像光学系を有し被写体を撮像して画像信号を出力する撮像装置の手振れ補正装置において、撮像装置本体の手振れ量を検出する手振れ検出手段と、前記撮像光学系に含まれる一部の光学部品を、撮像光軸と垂直し互いに直交する上下方向及び左右方向のそれぞれシフトさせる手振れ補正機構と、前記手振れ検出手段により検出された手振れ方向及び手振れ量に基づいて前記手振れ補正機構を動作させて、前記光学部品を上下方向及び左右方向のそれぞれにシフトさせる制御手段とを備え、前記手振れ補正機構は、前記光学部品を支持する支持部材に接続され前記手振れ検出手段により検出された手振れ方向及び手振れ量に応じた電圧が印加されることに応じて伸縮して当該光学部品を左右方向にシフトさせる１対の紐状の伸縮型高分子アクチュエータからなる第１高分子アクチュエータと、前記光学部品を支持する支持部材に接続され前記手振れ検出手段により検出された手振れ方向及び手振れ量に応じた電圧が印加されることに応じて伸縮して当該光学部品を上下方向にシフトさせる１対の紐状の伸縮型高分子アクチュエータからなる第２高分子アクチュエータとを有することを特徴とする。
【手続補正３】
【補正対象書類名】明細書
【補正対象項目名】０００６
【補正方法】変更
【補正の内容】
【０００６】
第２の発明は、上記第１の発明において、前記手振れ補正機構は、左右方向の手振れ方向及び手振れ量に応じて前記第１高分子アクチュエータを構成する一方の伸縮型高分子アクチュエータの引っ張り応力と他方の伸縮型高分子アクチュエータの引っ張り応力との大小関係に基づいて前記光学部品を左右方向に移動させ、上下方向の手振れ方向及び手振れ量に応じて前記第２高分子アクチュエータを構成する一方の伸縮型高分子アクチュエータの引っ張り応力と他方の伸縮型高分子アクチュエータの引っ張り応力との大小関係に基づいて前記光学部品を上下方向に移動させることを特徴とする。
【手続補正４】
【補正対象書類名】明細書
【補正対象項目名】０００７
【補正方法】変更
【補正の内容】
【０００７】
第３の発明は、上記第１の発明において、前記手振れ補正機構は、前記撮像手段に含まれる撮像光学系に入射された入射光を撮像光として撮像素子に導くミラーを備え、当該ミラーを左右方向に回転させる当該ミラーと連動する回転ディスクに設けた前記第１高分子アクチュエータを構成する一方の伸縮型高分子アクチュエータの引っ張り応力と他方の伸縮型高分子アクチュエータの引っ張り応力との大小関係に基づいて当該ミラーを左右方向に回転させ、当該ミラーを上下方向に回転させる当該ミラーと連動する回転ディスクに設けた前記第２高分子アクチュエータを構成する一方の伸縮型高分子アクチュエータの引っ張り応力と他方の伸縮型高分子アクチュエータの引っ張り応力との大小関係に基づいて当該ミラーを上下方向に回転させるものであり、上下左右の手振れ方向及び手振れ量に応じて前記第１及び第２高分子アクチュエータを駆動させて、前記ミラーを左右方向及び上下方向に回転させることを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
第４の発明は、撮像光学系を有し被写体を撮像して画像信号を出力する撮像手段と、撮像装置本体の手振れ量を検出する手振れ検出手段と、前記撮像光学系に含まれる一部の光学部品を、撮像光軸と垂直し互いに直交する上下方向及び左右方向のそれぞれシフトさせる手振れ補正機構と、前記手振れ検出手段により検出された手振れ方向及び手振れ量に基づいて前記手振れ補正機構を動作させて、前記光学部品を上下方向及び左右方向のそれぞれにシフトさせる制御手段とを備え、前記手振れ補正機構は、前記光学部品を支持する支持部材に接続され前記手振れ検出手段により検出された手振れ方向及び手振れ量に応じた電圧が印加されることに応じて伸縮して当該光学部品を左右方向にシフトさせる１対の紐状の伸縮型高分子アクチュエータからなる第１高分子アクチュエータと、前記光学部品を支持する支持部材に接続され前記手振れ検出手段により検出された手振れ方向及び手振れ量に応じた電圧が印加されることに応じて伸縮して当該光学部品を上下方向にシフトさせる１対の紐状の伸縮型高分子アクチュエータからなる第２高分子アクチュエータとを有することを特徴とする。
【手続補正７】
【補正対象書類名】明細書
【補正対象項目名】００１０
【補正方法】変更
【補正の内容】
【００１０】
第５の発明は、上記第４発明において、前記手振れ補正機構は、左右方向の手振れ方向及び手振れ量に応じて前記第１高分子アクチュエータを構成する一方の伸縮型高分子アクチュエータの引っ張り応力と他方の伸縮型高分子アクチュエータの引っ張り応力との大小関係に基づいて前記光学部品を左右方向に移動させ、上下方向の手振れ方向及び手振れ量に応じて前記第２高分子アクチュエータを構成する一方の伸縮型高分子アクチュエータの引っ張り応力と他方の伸縮型高分子アクチュエータの引っ張り応力との大小関係に基づいて前記光学部品を上下方向に移動させることを特徴とする。
【手続補正８】
【補正対象書類名】明細書
【補正対象項目名】００１１
【補正方法】変更
【補正の内容】
【００１１】
第６の発明は、上記第４の発明において、前記手振れ補正機構は、前記撮像手段に含まれる撮像光学系に入射された入射光を撮像光として撮像素子に導くミラーを備え、当該ミラーを左右方向に回転させる当該ミラーと連動する回転ディスクに設けた前記第１高分子アクチュエータを構成する一方の伸縮型高分子アクチュエータの引っ張り応力と他方の伸縮型高分子アクチュエータの引っ張り応力との大小関係に基づいて当該ミラーを左右方向に回転させ、当該ミラーを上下方向に回転させる当該ミラーと連動する回転ディスクに設けた前記第２高分子アクチュエータを構成する一方の伸縮型高分子アクチュエータの引っ張り応力と他方の伸縮型高分子アクチュエータの引っ張り応力との大小関係に基づいて当該ミラーを上下方向に回転させるものであり、上下左右の手振れ方向及び手振れ量に応じて前記第１及び第２高分子アクチュエータを駆動させて、前記ミラーを左右方向及び上下方向に回転させることを特徴とする。
【手続補正９】
【補正対象書類名】明細書
【補正対象項目名】００１２
【補正方法】削除
【補正の内容】